(57)【要約】【課題】簡易な構成でページをめくり易くすることができるページ押さえ具を提供する。【解決手段】書籍を開いた状態で保持するためのページ押さえ具１００は、少なくとも中間部分１２０が内側に屈曲自在な可撓性を有する帯状の支持体１１０と、支持体１１０の中間部分１２０の左右の両側に配設された一対の側部分１３０、１４０の間に架設された帯状の透光性バンド１７０と、を有することを特徴とする。この発明によれば、支持体１１０を透光性バンド側に折り曲げて透光性バンド１７０の張りを緩めることができるので、支持体１１０の折り曲げ態様の調整によって、ページを確実に保持したり、ページをめくり易くしたりすることができる。【選択図】          図１
2009172848.tif 000002
【特許請求の範囲】
【請求項１】
書籍を開いた状態で保持するためのページ押さえ具であって、少なくとも中間部分が表面側に屈曲自在な可撓性を有する支持体と、前記支持体の表面側において前記中間部分の左右両側に配設された一対の側部分の間に架設された帯状の透光性バンドと、を有することを特徴とするページ押さえ具。
【請求項２】
前記透光性バンドの下端縁は、前記支持体の前記一対の側部分のうち少なくとも一方の前記側部分上に位置する部分から前記中間部分上に位置する部分まで前記透光性バンドの上端縁に向かって傾斜していることを特徴とする請求項１に記載のページ押さえ具。
【請求項３】
前記透光性バンドの下端縁は、前記支持体の前記一対の側部分の一方の前記側部分上に位置する部分から他方の前記側部分上に位置する部分まで下方に向けて円弧状に湾曲していることを特徴とする請求項１に記載のページ押さえ具。
【請求項４】
前記支持体の前記中間部分の表側面には書籍の綴部嵌入用の凹溝が設けられていることを特徴とする請求項１から請求項３までのいずれか１項に記載のページ押さえ具。
【請求項５】
前記支持体の前記一対の側部分の少なくともいずれか一方には、指装着用の保持部が設けられていることを特徴とする請求項１から請求項４までのいずれか１項に記載のページ押さえ具。
【発明の詳細な説明】
【技術分野】
【０００１】
本発明は、書籍を所定のページ位置で開いた状態で保持するためのページ押さえ具に関する。
【背景技術】
【０００２】
従来から、書籍を所定のページ位置で開いた状態で保持するためのページ押さえ具や書見台が知られており、例えば、特許文献１及び特許文献２に記載されている。特許文献１に記載のページ押さえ具は、背面側に二つ折り可能であるとともに表面側に二つ折り不可能な蝶番によって連結された２枚の固定板と、一端部が前記２枚の固定板の一端部に伸縮バンドを介して固定されており、他端部に伸縮バンド及び固定板が先端に向かって順次取り付けられた透明バンドとを有し、前記２枚の固定板の他端部と前記伸縮バンド先端の前記固定板に互いに貼着可能な面ファスナーがそれぞれ取り付けられている。これにより、前記２枚の固定板の表面側と前記透明バンドとの間で書籍を開いた状態で保持するようになっている。
【０００３】
特許文献２に記載の書見台は、書籍支持用の書物保持板と、その両端に固定された一対の袖板と、前記一対の袖板に取り付けられた一対の略三角状誘導フィルムと、前記一対の略三角状誘導フィルムの一方の内端頂点部と他方の内端頂点部との間に架設されており、引張り調整リールにより調整自在に張設された弾糸とを有している。これにより、前記書物保持板と前記弾糸により連結された前記一対の略三角状誘導フィルムとの間で書籍が開いた状態で保持されるようになっている。
【特許文献１】特開２００２−１２７６４２号公報
【特許文献２】特許第３６９８６５９号公報
【発明の開示】
【発明が解決しようとする課題】
【０００４】
しかしながら、特許文献１に記載のページ押さえ具においては、伸縮バンドにより張設された透明バンドによって書籍のページを保持するので、ページをめくる際には、当該ページに透明バンドを介して伸縮バンドの弾性力が常に加わることとなることから、伸縮バンドの弾性力が強いとページがめくり難くなり、伸縮バンドの弾性力が弱いとページを保持しにくくなるという問題がある。
【０００５】
一方、特許文献２に記載の書見台においては、ページをめくる際に引張り調整リールによって弾糸の張りを緩めることにより、弾糸により連結された一対の略三角状誘導フィルムによる保持力が低下するのでページがめくり易くなるが、当該引張り調整リールを設ける必要があるため、書見台の機構が複雑になるとともに製造コストが増大するという問題がある。
【０００６】
そこで、本発明は上記問題点を解決するものであり、その課題は、簡易な構成でページの保持力を調整可能とすることにより、ページを容易にめくることができるとともに、安価に製造できるページ押さえ具を提供することにある。
【課題を解決するための手段】
【０００７】
上記課題を解決するために本発明のページ押さえ具は、書籍を開いた状態で保持するためのページ押さえ具であって、少なくとも中間部分が表面側に屈曲自在な可撓性を有する支持体と、前記支持体の表面側において前記中間部分の左右両側に配設された一対の側部分の間に架設された帯状の透光性バンドと、を有することを特徴とする。
【０００８】
この発明によれば、支持体の少なくとも中間部分が表面側に屈曲自在な可撓性を有しているので、支持体を透光性バンド側に折り曲げて透光性バンドの張りを緩めることができるため、支持体の折り曲げ態様を調整することにより、ページを確実に保持したり、ページをめくり易くしたりすることが自在になる。
【０００９】
ここで、前記支持体の前記中間部分と前記一対の側部分とは一体の部材で形成されていてもよいし、別個の部材で形成されていてもよい。
【００１０】
本発明の一態様においては、前記透光性バンドの下端縁は、その前記支持体の前記一対の側部分のうち少なくとも一方の前記側部分上に位置する部分から前記中間部分上に位置する部分まで前記透光性バンドの上端縁に向かって傾斜している。これによれば、ページをめくる態様として、透光性バンドの下方においてページの左右いずれか一方の下端隅部をめくりあげ、これを折り返しながら他方に移動させていく過程で、透光性バンドの下端縁の傾斜によってこれに当接するページの側端縁がスムーズに左右の他方へ向けて案内されるとともに、支持体の中間部分側に向かうほど上記透光性バンドの下端縁が上端縁側に退避することから、透光性バンドに邪魔されることなくページのめくり作業をスムーズかつ容易に行うことが可能になる。
【００１１】
本発明の他の態様においては、前記透光性バンドの下端縁は、前記支持体の前記一対の側部分の一方の前記側部分上に位置する部分から他方の前記側部分上に位置する部分まで下方に向けて円弧状に湾曲している。これによれば、ページをめくる態様として、透光性バンドの下方においてページの左右いずれか一方の下端隅部をめくりあげ、これを折り返しながら他方に移動させ、当該下端隅部を他方の下端隅部上に重ねていく過程で、ページの側端縁が透光性バンドの円弧状の下端縁に当接しながらスムーズに案内されるとともに、支持体の中間部分側に向かうほど上記透光性バンドの下端縁が上端縁側に退避することから、透光性バンドに邪魔されることなくページのめくり作業をスムーズかつ容易に行うことが可能になる。
【００１２】
本発明において、前記支持体の前記中間部分の表面には書籍の綴部嵌入用の凹溝が設けられていることが好ましい。この発明によれば、前記凹溝に書籍の綴部（背の部分）を嵌入することによって、書籍を安定に支持できる。
【００１３】
ここで、前記凹溝は支持体に刻設された溝であってもよいし、２本の位置決め部材を支持体の表面上に所定間隔を空けて取り付けることによって上記位置決め部材の間に構成された溝であってもよい。
【００１４】
本発明の別の態様においては、前記支持体の前記一対の側部分の少なくともいずれか一方には、指装着用の保持部が設けられている。これによれば、指を前記保持部に装着した状態で、その指を動かすことにより、前記支持体の折り曲げ態様を容易に設定できるため、透光性バンドの張りを容易に調整できる。
【００１５】
ここで、前記指装着用の保持部とは指を前記支持体に装着するための手段であり、例えば、弾性変形可能な支持体の底部に形成された指を挿入可能な切り込みであってもよいし、支持体の表面又は背面に取り付けられた帯状部材、環状部材又は袋状部材で構成される指挿入部であってもよい。
【００１６】
本発明の異なる態様においては、前記支持体には、前記一対の側部分に取り付けられ、前記支持体の表面側への屈曲に対する規制状態を実現可能とする屈曲規制手段が設けられている。この発明によれば、支持体を表面側（すなわち、透光性バンド側）に折り曲がらないように規制できるので、透光性バンドによるページに対する保持力を確保することができ、書籍を机上等に載置した場合などにおいて支持体から手を離しても書籍を開いた状態に維持できる。
【００１７】
ここで、前記屈曲規制手段としては、例えば、支持体の一対の側部分のそれぞれに取り付けられ、支持体が屈曲していない状態で互いに同一直線状に設定された案内方向を備えた一対の案内部材と、一対の案内部材に対して前記案内方向にスライド自在に係合し、かつ、一対の案内部材に同時に係合したときに支持体の表面側への屈曲を規制するスライド部材とから構成された規制具が挙げられる。この規制具によると、スライド部材が一対の案内部材に同時に係合した状態とすることにより、支持体の表面側への屈曲が規制される。また、スライド部材が一対の案内部材の少なくとも一方から離脱した状態とすれば上記の規制が働かなくなるので、支持体が屈曲可能な状態となる。
【発明を実施するための最良の形態】
【００１８】
以下に、本発明に係るページ押さえ具について詳細に説明する。
［第１実施形態］
図１から図５までには、本発明に係る第１実施形態のページ押さえ具が示されている。図１は第１実施形態のページ押さえ具を前方から見た状態を示す概略斜視図、図２は第１実施形態のページ押さえ具を後方から見た状態を示す概略斜視図、図３は第１実施形態のページ押さえ具を左手に装着した状態を示す概略斜視図、図４は第１実施形態のページ押さえ具の使用状態を示す概略斜視図、図５は第１実施形態のページ押さえ具を閉じた書籍に装着した状態を示す概略正面図である。
【００１９】
このページ押さえ具１００は、左右方向に長い帯状の支持体１１０と、この支持体１１０に両端が取り付けられ、支持体１１０より細幅とされた帯状の透光性バンド１７０とを有する。
【００２０】
図１及び図２に示すように、支持体１１０は、中間部材１２０と、その左右にそれぞれ取り付けられた第１側部材１３０及び第２側部材１４０とから構成されている。
【００２１】
中間部材１２０は合成樹脂等よりなる矩形状のシートであり、屈曲自在な可撓性を有している。この中間部材１２０は第１側部材１３０及び第２側部材１４０に比べて薄く形成されている。
【００２２】
第１側部材１３０と第２側部材１４０はそれぞれ矩形状の板状材であり、中間部材１２０に比べてそれぞれ厚く形成されているとともに、それぞれ中間部材１２０より剛性が高いが弾性変形可能な素材、たとえば合成樹脂等よりなる板材で構成されている。また、この第１側部材１３０の底部１３０ｄには指装着用の切り込み１３１が形成され、当該切り込み１３１は、図３に示すように、支持体１１０を後述する態様で操作可能とするために必要な指Ｈａの装着性を得るのに充分な深さを有している。
【００２３】
これら第１側部材１３０と第２側部材１４０は、左右方向に所定間隔を空けて中間部材１２０の左右端にそれぞれ取り付けられている。また、第１側部材１３０の内側端１３０ａと第２側部材１４０の内側端１４０ａの間には滑り止め部材１６０が取り付けられている。
【００２４】
この滑り止め部材１６０は表面摩擦の大きな部材であり、本実施例では網目状（図示省略）に構成され、合成ゴムなどの弾性変形可能な素材（好ましくは表面摩擦の大きな素材）で形成される。この滑り止め部材１６０は中間部材１２０上において円弧状に弛み、これにより、支持体１１０の表面上に凹溝１５０が構成される。
【００２５】
この凹溝１５０は第１側部材１３０と第２側部材１４０のそれぞれの内側端１３０ａ、１４０ａに沿って上下方向に伸び、その深さはほぼ第１側部材１３０と第２側部材１４０のそれぞれの厚さに相当する。これにより、図４に示す書籍Ｂの綴部Ｂａを凹溝１５０に嵌入すると、書籍Ｂは支持体１１０に対して左右方向に位置決めされるとともに、書籍の綴部Ｂａが滑り止め部材１６０に当接して摩擦が生ずることで、書籍Ｂは支持体１１０に対して上下方向にも保持される。
【００２６】
また、図１に示すように、透光性バンド１７０は透光性を有する（ページの視認性を妨げないために好ましくは透明な）合成樹脂等よりなる帯状のシートであり、支持体１１０の表面側（表面上）において第１側部材１３０と第２側部材１４０の間に架設されている。本発明では特に限定されないが、本実施形態では透光性バンド１７０の一端１７０ｃは第１側部材１３０の外側端１３０ｂを越えて背面１３０Ｂに取付固定され、他端１７０ｄは第２側部材１４０の外側端１４０ｂを越えて背面１４０Ｂに着脱可能に取付られている。
【００２７】
具体的には、透光性バンド１７０は上記背面１３０Ｂ上の一端１７０ｃから外側端１３０ｂを越えて支持体１１０の第１側部材１３０の表面１３０Ａ上を左右方向に伸びて中間部材１２０上を越え、第２側部材１４０の表面１４０Ａ上をさらに伸び、その外側端１４０ｂを越え、他端１７０ｄの近傍に設けられた後述する面ファスナー１７１、１７２によって第２側部材１４０の背面１４０Ｂ上の面ファスナー１４１に取り付けられている。
【００２８】
透光性バンド１７０の下端縁１７０ｂは、支持体１１０のいずれか一方の側部材上にある部分（図示例では一方の外側端）から中間部分１２０上にある部分までそれぞれ透光性バンド１７０の上端縁１７０ａに向かって傾斜している。これにより、図４に示すように、透光性バンド１７０の下方でページＢｂの下端隅部Ｂｃを持ち上げてページＢｂをめくるときに、当該ページＢｂの側縁Ｂｄが支持体１１０の上記一方の側部材（図示例では１３０）上にある部分から中間部分１２０上にある位置まで下端縁１７０ｂに当接しても、当該下端縁１７０ｂの傾斜によって側縁Ｂｄのひっかかりなしにスムーズに中間部分１２０上までめくり上げることができ、しかも、中間部分１２０上に向かうほど下端縁１７０ｂが上方へ退避するので、ページＢｂのめくり操作を容易に行うことができる。
【００２９】
具体的には、透光性バンド１７０の下端縁１７０ｂは、第１側部材１３０上にある部分（図示例ではその外側端１３０ｂ上にある部分）から第２側部材１４０上にある部分（図示例ではその外側端１４０ｂ上にある部分）まで下方（透光性バンド１７０の上端縁１７０ａの側とは反対側）に向かって円弧状に湾曲している。これにより、左右の一方から他方へページＢｂをめくるときに透光性バンド１７０の下端縁１７０ｂに引っ掛かることなく滑らかかつ容易にページをめくることができる。
【００３０】
透光性バンド１７０の他端１７０ｄは上述のように第２側部材１４０に対して着脱自在に取り付けられているが、具体的には、第２側部材１４０の背面１４０Ｂ上に外側端１４０ｂの近傍位置から外側端１４０ｂより離反する側の所定範囲内に面ファスナー１４１が取り付けられているとともに、透光性バンド１７０の他端１７０ｄには左右方向に所定間隔を空けて２つの面ファスナー１７１、１７２が取り付けられ、これら面ファスナー１４１と面ファスナー１７１、１７２は互いに着脱自在に構成されている。
【００３１】
上記２つの面ファスナー１７１、１７２のうち、一方の面ファスナー１７１は、透光性バンド１７０の他端１７０ｄからより離れた位置に取り付けられ、他方の面ファスナー１７２は、上記他端１７０ｄにより近い位置に（図示例では他端１７０ｄ上からさらに外側に張り出す範囲まで）取り付けられている。そして、これらの面ファスナー１７１，１７２は、支持体１１０が直線状に伸びて第１側部材１３０と第２側部材１４０が略同一平面上に配置される平坦な姿勢で或る程度の厚みを有する書籍を透光性バンド１７０との間に介挿した場合に、第２側部材１４０の面ファスナー１４１に取り付け可能な範囲内に配置されている。ここで、面ファスナー１７１，１７２の面ファスナー１４１に対する貼着位置を第２側部材１４０の背面１４０Ｂ上で外側端１４０ｂから遠ざかる方向に漸次変更することによって、透光性バンド１７０の張りを漸次強くすることができる。
【００３２】
また、面ファスナー１７１、１７２は、図５に示すように、書籍Ｂを挟むか挟まないかを問わず、第１側部材１３０と第２側部材１４０のそれぞれの表面１３０Ａ、１４０Ａが対向するように支持体１１０を二つ折りにして、その外周に透光性バンド１７０を巻き付けた状態で、第２側部材１４０の背面１４０Ｂ上の面ファスナー１４１に取り付け可能な範囲内に配置されている。これにより、ページ押さえ具１００を単独でコンパクトに折り畳んで携帯できるとともに、二つ折りにした支持体１１０の間に書籍Ｂを挟む態様でも容易に携帯できる。
【００３３】
また、図２に示すように、支持体１１０には規制具１８０が設けられている。この規制具１８０は、支持体１１０の表面側（透光性バンド１７０側）への屈曲を規制するためのものであり、支持体１１０の背面１３０Ｂ、１４０Ｂ上にそれぞれ所定間隔を空けて取り付けられ、支持体１１０を平坦な状態にしたときに同一直線上に設定される案内方向を備えた一対の案内部材１８１、１８２と、これら一対の案内部材１８１、１８２に対して上記案内方向にスライド自在に係合し、かつ、一対の案内部材１８１、１８２に同時に係合可能であり、これによって支持体１１０の表面側への屈曲を規制可能なスライド部材１８３とから構成されている。
【００３４】
具体的には、一対の案内部材１８１、１８２のうち、一方の案内部材１８１は第１側部材１３０の背面１３０Ｂに取り付けられているとともに、他方の案内部材１８２は第２側部材１４０の背面１４０Ｂに取り付けられている。そして、スライド部材１８３が一対の案内部材１８１、１８２のいずれか一方（図２においては案内部材１８１）にのみ係合している図示例の場合には支持体１１０の表面側への屈曲規制は働かない。一方、図示例の状態からスライド部材１８３をスライドさせて、他方の案内部材１８２にも係合させることにより、支持体１１０の表面側への屈曲が規制される。これは書籍を机上等に載置して開いた状態で保持する場合に有用である。なお、図示例の規制具１８０では支持体の表面側への屈曲規制だけでなく、背面側への屈曲規制も生ずるが、単に支持体の表面側への屈曲規制を実現するだけでよければ、第１側部材１３０の背面１３０Ｂ上と第２側部材１４０の背面１４０Ｂ上とにそれぞれ係合部材を取り付け固定し、これらの係合部材間に可撓性を有する連結材（紐、チェーンなど）を係合可能に構成してもよい。
【００３５】
上述のように構成されたページ押さえ具１００は、図３及び図４に示すように、例えば、第１側部材１３０の切り込み１３１に左手Ｈの親指Ｈａを差し込むとともに、左手Ｈの中指及び薬指と小指とで第２側部材１４０を挟持した状態で、支持体１１０と透光性バンド１７０の間にページを開いた状態の書籍Ｂを配置する。この状態で、左手Ｈの親指Ｈａを他の指に対して相対的に前後に動かすと支持体１１０が表面側及び背面側に折れ曲るため、透光性バンド１７０の張りを調整することができる。したがって、透光性バンド１７０によるページＢｂに対する圧迫力を緩めたり強めたりすることができるので、例えば、ページＢｂをめくる際には透光性バンド１７０の張りを緩めてページＢｂをめくりやすくし、そうでないときには透光性バンド１７０の張りを強くしてページＢｂをより確実に保持することができる。
【００３６】
本実施形態においては、支持体１１０の中間部材１２０が表面側及び背面側に屈曲自在な可撓性を有しているので、上記の透光性バンドの張りの調整作業をきわめて容易に行うことができるが、当該調整作業を行うには少なくとも支持体が平坦な状態から少なくとも表面側に屈曲可能な可撓性を有していればよい。なお、支持体を平坦な状態から背面側にのみ屈曲可能に構成することは、透光性バンドを大幅に緩めない限りページのめくり作業が困難になり、したがって、机上に載置したときなどにはページが保持しにくくなるから、好ましくない。
【００３７】
また、透光性バンド１７０の下端縁１７０ｂは第１側部材１３０（の外側端１３０ｂ）上にある部分から第２側部材１４０（の外側端１４０ｂ）上にある部分までが下方に向かって円弧状に湾曲しているので、ページＢｂを左右方向のいずれか一方から他方まで透光性バンド１７０の下端縁１７０ｂに引っ掛かることなく滑らかにめくることができる。特に、図４に示すようにページＢｂの一方の下部隅部Ｂｃを持ち上げてページＢｂを折り返しながら他方へめくる場合には、ページＢｂの側縁Ｂｄが透光性バンド１７０の下端縁１７０ｂに沿ってスムーズに移動し、とりわけ側縁Ｂｄが中間部分１２０上に位置する際に当該下端縁１７０ｂが上端縁１７０ａ側に退避していることからページＢｂのめくり作業の邪魔になりにくいため、全体としてきわめてスムーズにページめくりを行うことが可能になる。
【００３８】
第１実施形態においては、弾性変形可能な素材よりなる第１側部材１３０に指装着用の切り込み１３１が形成されていることにより、左手Ｈの親指Ｈａを切り込み１３１に差し込んだ状態で、左手Ｈの親指Ｈａを支持体１１０に密着させて一体化させることができるので、上述の透光性バンド１７０の張り調整をきわめて容易に行うことが可能になる。
【００３９】
［第２実施形態］
次に、図６を参照して、本発明に係る第２実施形態のページ押さえ具について説明する。図６は第２実施形態のページ押さえ具を前方から見た状態を示す概略斜視図である。なお、本実施形態において第１実施形態と同一箇所には同一符号を付し、それらの説明を省略する。
【００４０】
第１実施形態のページ押さえ具１００の支持体１１０は中間部材１２０、第１側部材１３０及び第２側部材１４０の３つの部材から構成されているが、第２実施形態のページ押さえ具２００の支持体２１０は全体が１つの部材で構成されている。この支持体２１０は全体に亘って表面側及び背面側に屈曲自在な可撓性を有しており、支持体２１０の外側端２１０ａ、２１０ｂは背面２１０Ｂ側から表面２１０Ａ側へ支持体１１０の中央に向かって傾斜する斜面となっている。これにより、この外側端２１０ａ、２１０ｂは、開いた書籍の両側端のテーパ状の外側部を当該斜面である外側端２１０ａ，２１０ｂ上において透光性バンド１７０との間で面接触状態にぴったりと挟持することができるため、書籍をより安定に支持できる。
【００４１】
この支持体２１０の表面上には、その略中央部分に一対の延長形状の位置決め部材２１１、２１２が上下方向に沿った姿勢で所定間隔を空けて取り付けられている。この一対の位置決め部材２１１、２１２は所定の厚さを有し、その間に凹溝２５０を構成し、書籍の綴部を保持する機能を有する。また、一対の位置決め部材２１１、２１２の互いに対向する内側の角部分は円弧状に湾曲しているので、書籍の綴部を容易に凹溝２５０内に嵌合させることが可能になっている。
【００４２】
なお、第１実施形態の透光性バンド１７０は、その一端１７０ｃが支持体１１０の一方の側端部１３０に固定されているとともにその他端１７０ｄが支持体１１０の他方の側端部１４０に着脱自在に構成されているが、第２実施形態の透光性バンド２７０の両端部は、支持体２１０の背面２１０Ｂ上において両外側端部の近傍にそれぞれ固定されている。このため、書籍を支持体２１０と透光性バンド２７０の間に介挿するだけで容易に装着できる。
【００４３】
この第２実施形態においては、支持体２１０が１つの部材から構成されているので、ページ押さえ具の部品点数を低減でき、製造コストを低減できる。
【００４４】
尚、上記各実施形態のページ押さえ具１００、２００は、上述の図示例にのみ限定されるものではなく、本発明の要旨を逸脱しない範囲内において種々変更を加え得ることは勿論である。例えば、第１実施形態において支持体１１０を中間部材１２０、第１側部材１３０及び第２側部材１４０の３つの部材で構成したが、支持体１１０を１つの部材で構成してもよい。
【００４５】
また、第１実施形態において透光性バンド１７０の下端縁１７０が円弧状に湾曲しているが、第１側部材１３０の外側端１３０ｂ上に位置する部分から中間部材１２０上に位置する部分まで、並びに、第２側部材１４０の外側端１４０ｂ上に位置する部分から中間部材１２０上に位置する部分までが透光性バンド１７０の上端縁１７０ａに向かって直線状に傾斜していてもよい。
【００４６】
さらに、第１側部材１３０の底部１３０ｄには指装着用の切り込み１３１が形成されているが、これは第２側部材１４０の底部１４０ｄに形成されていてもよいし、第１側部材１３０と第２側部材１４０の両方の底部１３０ｄ、１４０ｄに形成されていてもよい。
【００４７】
また、指装着用の切り込み１３１の代わりに、指装着用の貫通孔が第１側部材１３０と第２側部材１４０の少なくともいずれか一方にその表面１３０Ａ、１４０Ａから背面１３０Ｂ、１４０Ｂまで貫通するように形成されていてもよいし、指保持用の帯状部材、環状部材又は袋状部材が第１側部材１３０と第２側部材１４０の少なくともいずれか一方に取り付けられていてもよい。
【００４８】
一方、第２実施形態のページ押さえ具２００においては、支持体２１０は全体に亘って屈曲自在な可撓性を有しているが、支持体２１０の中央部分のみが屈曲自在な可撓性を有していてもよい。
【００４９】
また、上記のいずれの実施形態でも凹溝の内面は滑り止め部材で構成されているが、当該滑り止め部材を省略し、必要に応じて凹溝の内面に滑り止め用の縦溝を刻設してもよい。
【００５０】
さらに、透光性バンドの端部は支持体の背面上に取り付けられているが、支持体の外側端に取り付けられていてもよく、或いは、書籍の介挿範囲が充分に確保されるのであれば透光性バンドの端部を支持体の表面上に取り付けてもかまわない。
【００５１】
なお、当業者であれば明らかなように、第１実施形態の各構成要素と第２実施形態の各構成要素とを適宜の態様にて組み合わせて種々の実施形態を実現することができ、これらの種々の実施態様も当然のことながら本発明の範囲内に含まれる。
【図面の簡単な説明】
【００５２】
【図１】第１実施形態のページ押さえ具を前方向から見た概略斜視図。
【図２】同実施形態を後方向から見た概略斜視図。
【図３】同実施形態を左手に装着した状態を示す概略斜視図。
【図４】同実施形態の使用状態を示す概略斜視図。
【図５】同実施形態を閉じた書籍に装着した携帯時の状態を示す概略正面図。
【図６】第２実施形態のページ押さえ具を前方向から見た概略斜視図。
【符号の説明】
【００５３】
１００、２００…ページ押さえ具、１１０、２１０…支持体、１２０…中間部材、１３０…第１側部材、１３０ａ、１４０ａ…内側端、１３０ｂ、１４０ｂ…外側端、１３０Ａ、１４０Ａ、２１０Ａ…表面、１３０Ｂ、１４０Ｂ、２１０Ｂ…背面、１３１…切り込み、１４０…第２側部材、１４１、１７１、１７２…面ファスナー、１５０、２５０…凹溝、１６０…滑り止め部材、１７０、２７０…透光性バンド、１７０ａ…上端縁、１７０ｂ…下端縁、１７０ｃ…一端、１７０ｄ…他端、Ｂ…書籍、Ｂａ…綴部、Ｂｂ…ページ、Ｂｃ…下端隅部、Ｂｄ…側縁、Ｈ…左手、Ｈａ…親指
【図１】
2009172848.tif 000003
【図２】
2009172848.tif 000004
【図３】
2009172848.tif 000005
【図４】
2009172848.tif 000006
【図５】
2009172848.tif 000007
【図６】
2009172848.tif 000008